(57)【要約】【課題】手首を曲げるような運動時にも安全で使い勝手の良い腕時計を提供する。【解決手段】時計機能部１２が収納された時計ケース部１と、この時計ケース部１をスライド可能に保持するスライド基部２と、時計ケース部１およびスライド基部２を腕に装着するリストバンド部３Ａから成り、時計ケース部のスライド方向に対して逆方向に復帰させるコイルスプリング１０を設けた。その結果、たとえば、スポーツ時に手を地面についた場合に、手首にある時計に手が当たっても時計ケース部がスライド基部２上をスライドする。手首を元に戻せば時計ケース部１は自動的に元の位置に戻るため、手の甲を痛めたり手首を痛めたりする恐れが無くなり安全に競技を行うことができる。【選択図】      図２
2004301800.tif 000002
【特許請求の範囲】
【請求項１】
時計機能部が収納された時計ケース部と、
この時計ケース部をスライド可能に保持するスライド基部と、
前記時計ケース部およびスライド基部を腕に装着するリストバンド部と、
前記時計ケース部のスライド方向に対して逆方向に復帰させる付勢手段とを有することを特徴とする腕時計。
【請求項２】
時計機能部が収納された時計ケース部と、
この時計ケース部を固定する第１のリストバンド部と、
前記時計ケース部および第１のリストバンド部をスライド可能に保持する第２のリストバンド部と、
前記時計ケース部および第１のリストバンド部のスライド方向に対して逆方向に復帰させる付勢手段とを有することを特徴とする腕時計。
【発明の詳細な説明】
【０００１】
【発明の属する技術分野】
本発明は、手首を曲げたりするような時にも最適な腕時計に関する。
【０００２】
【従来の技術】
従来、スキーやテニス等の主に手首を曲げるようなスポーツ時には、身体の安全の為腕時計を外してプレイするのが一般的であった。特に腕時計やリストバンドが金属製の場合は、手首を曲げることにより身体を傷つける恐れが更に増す為、腕時計をポケットにしまったり他の場所に置いたりして競技を行っていた。
【０００３】
これに対して、スポーツ時に腕に装着して使用する腕時計としては、スキーやゴルフ等の競技において、グローブに時計を内蔵したものやグローブに時計を着脱できるようにしたものが考えられている（例えば、特許文献１および特許文献２参照）。
【０００４】
【特許文献１】
特開平７−３００７０９号公報  （第３頁、第１図）
【特許文献２】
実開平６−５５４１２号公報  （第２頁、第３図）
【０００５】
【発明が解決しようとする課題】
しかしながら、このような時計機能付きのグローブを使用できる場合は、スキーやゴルフ等のグローブを使用する事が必須のスポーツのみに限られており、グローブを使用しない他の多くのスポーツには適用できないという問題点が有った。
本発明の目的は、手首を曲げるような時にも安全で使い勝手の良い腕時計を提供することである。
【０００６】
【課題を解決するための手段】
請求項１に記載の発明は、時計機能部が収納された時計ケース部と、この時計ケース部をスライド可能に保持するスライド基部と、前記時計ケース部およびスライド基部を腕に装着するリストバンド部と、前記時計ケース部のスライド方向に対して逆方向に復帰させる付勢手段とを有することを特徴とする腕時計である。
【０００７】
請求項２に記載の発明は、時計機能部が収納された時計ケース部と、この時計ケース部を固定する第１のリストバンド部と、前記時計ケース部および第１のリストバンド部をスライド可能に保持する第２のリストバンド部と、前記時計ケース部および第１のリストバンド部のスライド方向に対して逆方向に復帰させる付勢手段とを有することを特徴とする腕時計である。
【０００８】
請求項１および請求項２に記載の発明による構成とすれば、時計機能部が収納された時計ケース部をスライド可能に保持することができる。このため、たとえば、スポーツ時に手を地面についた場合に、手首にある時計に手が当たって手の甲を痛めたり手首を痛めたりする恐れが無くなり、安全に競技を行うことができる。
【０００９】
【発明の実施の形態】
以下、図１乃至図４を参照して、本発明の腕時計の一実施形態について説明する。
【００１０】
（第１の実施の形態）
図１（ａ）はこの発明における第１の実施の形態を示す平面図、図１（ｂ）はその右側面図、図１（ｃ）はその正面図である。
図１において、この実施の形態による腕時計は、時計機能部１２を収納した（図３に示す）時計ケース部１、スライド基部２およびリストバンド部３Ａ，３Ｂから構成されている。時計ケース部１は例えば金属もしくは合成樹脂からなり、その中央部分には現在時刻を表示する表示部４が配置されている。前記時計ケース部１の裏面部にはスライド機構部５Ａ，５Ｂが形成されており、このスライド機構部５Ａ，５Ｂを介して前記スライド基部２の上面が連結されている為、時計ケース部１がスライド基部２上を左右（９時−３時方向）に移動することができる。スライド基部２の上部（１２時方向）端面にはリストバンド部３Ａが、下部（６時方向）端面にはリストバンド部３Ｂが夫々回動可能に連結されている。上記の構成により時計機能表示を行う時計ケース部１をリストバンド部３Ａ，３Ｂを介して腕に装着することが可能となる。
【００１１】
次に、この腕時計の時計ケース部１を左右（９時−３時方向）に移動させるスライド機能について説明する。図２（ａ）は時計ケース部１がスライド基部２に対して左（９時）方向に移動した状態を示す平面図であり、図２（ｂ）はその右側面図である。時計ケース部１の裏面にはリブ状のスライドレール６Ａ、６Ｂが水平方向に形成され、スライド基部２の上面（時計ケース部１側）にはスライドガイド７Ａ、７Ｂが水平方向に形成され、このスライドレール６Ａ、６Ｂとスライドガイド７Ａ、７Ｂが互いに組み合わさってスライド機構部５Ａ，５Ｂを構成している。その結果、図２（ａ）において、時計ケース部１の右側面を指で押すことにより時計ケース部１を左方向に移動する事ができる。図２（ｂ）において、スライド基部２の内部上面（時計ケース１側）にはスライド復帰機構部８が形成されている。このスライド復帰機構部８はスプリングボックス９およびコイルスプリング１０で構成されており、以下に説明するようにスライド移動した時計ケース部１を元の位置に戻すように作用する。図３はこのスライド復帰機構部８の動作説明用断面図である。図３（ａ）は図１のＡ−Ａ断面図、図３（ｂ）は図２のＢ−Ｂ断面図であり、夫々時計ケース部１の初期状態とスライドした状態の各部の動作を示している。図３において時計ケース部１とスライド基部２は、前述したように左右スライド可能に連結され、スライド基部２の内部上面（時計ケース１側）中央部にはスライド復帰機構部８が形成されている。スライド基部２の左端部にはコイルスプリング１０を受ける為のストッパー１１が形成され、その右方向にコイルスプリング１０を配置する。又、スライド基部２の右端部には時計ケース部１のスプリング受け１３が配置され、コイルスプリング１０を左方向に圧縮すべくスライド復帰機構部８として構成されている。その結果、時計ケース部１の右側面を指で押すことによりコイルスプリング１０を圧縮し時計ケース部１を初期の状態に戻すべく付勢する。図３（ｂ）が時計ケース１を左方向に最もスライドした状態である。
【００１２】
次に、この腕時計を使用する場合について説明する。図４（ａ）は、この実施の形態による腕時計を腕に装着した状態を示し、図４（ｂ）は、その状態で手首を強く曲げた状態を示している。図４（ａ）の状態では、時計ケース１がリストバンド３Ｂの中心部に位置しているが、図４（ｂ）の状態では手の甲に当たって時計ケース１が左方向に移動する。手首を元に戻すと時計ケース１は再びリストバンド３Ｂの中心部に移動する。この為、スポーツ中に手首を地面についたとしても時計ケース１が左方向にスライドして手首や腕を傷つけることが無くなる。
【００１３】
尚、この第１の実施の形態においては、時計ケース１のスライド方向を左方向に移動するように図示しているが、右腕に装着する為にスライド方向を右方向に移動するように全体を構成しても良い。更に、時計ケース１のスライド方向を左右両方移動可能に全体を構成しても良い。
【００１４】
（第２の実施の形態）
次に、図５乃至図７を参照して、本発明の第２の実施の形態について説明する。
図５（ａ）は第２の実施の形態の腕時計の平面図、図５（ｂ）はその右側面図である。図５において、この実施の形態による腕時計は、時計ケース部１０１、第１のリストバンド部１０２Ａ，１０２Ｂ、および第２のリストバンド部１０３Ａ，１０３Ｂから構成されている。前記時計ケース部１０１の上部（１２時方向）端面には第１のリストバンド部１０２Ａが、下部（６時方向）端面にはリストバンド部１０２Ｂが夫々回動可能に連結されている。前記第１のリストバンド部１０２Ａ、１０２Ｂの他端部にはスライド機構部１０５Ａ，１０５Ｂが形成されており、このスライド機構部１０５Ａ，１０５Ｂを介して第２のリストバンド部１０３Ａ，１０３Ｂの端面がスライド可能に連結されている。
図６（ａ）は時計ケース部１０１と第１のリストバンド部１０２Ａ，１０２Ｂが第２のリストバンド部１０３Ａ，１０３Ｂに対して左方向へ移動した状態を示す平面図であり、図６（ｂ）はその状態の右側面図である。図６において、第１のリストバンド部１０２Ａ，１０２Ｂと第２のリストバンド部１０３Ａ，１０３Ｂとの間には前述したようにスライド機構部１０５Ａ，１０５Ｂが形成されている。このスライド機構部１０５Ａ，１０５Ｂは、以下に説明するようにスライド移動した時計ケース部１と第１のリストバンド部１０２Ａ，１０２Ｂを初期の位置に戻すように作用する。
図７はこのスライド機構部１０５Ａ，１０５Ｂの動作説明用断面図である。図７（ａ）は図５のＣ−Ｃ断面図、図７（ｂ）は図６のＤ−Ｄ断面図であり、夫々時計ケース部１０１と第１のリストバンド部１０２Ａ，１０２Ｂの初期状態とスライドした状態の各部の動きを示している。図７において，第１のリストバンド部１０２Ｂと第２のリストバンド部１０３Ｂとは左右（９時−３時方向）スライド可能に連結され、両者の間にはスライド機構部１０５Ｂが形成されている。このスライド機構部１０５Ｂにおいて、第２のリストバンド部１０３Ｂの左端部にはコイルスプリング１１０Ｂを受ける為のストッパー１１１Ｂが形成され、その右方向にコイルスプリング１１０Ｂを配置する。第２のリストバンド部１０３Ｂの他端部には第１のリストバンド部１０２Ｂのスプリング受け１１３Ｂが配置され、コイルスプリング１１０Ｂを左方向に圧縮すべくスプリングボックス１０９Ｂを形成する。
その結果、図６に示すように時計ケース部１と第１のリストバンド部１０２Ａ，１０２Ｂの右側面を指で押すことにより左方向に移動し、コイルスプリング１１０Ａ、１１０Ｂを圧縮することにより時計ケース部１０１と第１のリストバンド部１０２Ａ，１０２Ｂを初期の状態に戻すべく逆方向に付勢する。
尚、上記第１及び第２の実施の形態では、時計ケース部１が左右方向にスライドする例について述べたが、例えば、６時又は１２時方向の所定の部分を中心点としてスライド回転及び復帰させるようにしても良い。
【００１５】
【発明の効果】
以上説明したように、この発明によれば、時計機能部が収納された時計ケース部をリストバンド部に対してスライド可能に連結し、このスライド方向の逆方向に復帰させる付勢手段を設けたため、時計ケース部をスライド可能に保持することができる。このため、たとえば、スポーツ時に転んで手を地面についた場合に、手首にある時計に手が当たって手の甲を痛めたり手首を痛めたりする恐れが無くなり、安全に競技を行うことができる。
【図面の簡単な説明】
【図１】（ａ）はこの発明における第１の実施の形態を示す平面図、（ｂ）はその右側面図、（ｃ）はその正面図。
【図２】（ａ）および（ｂ）は図１の腕時計の時計ケース部をスライドした場合の平面図、右側面図。
【図３】（ａ）は図１のＡ−Ａ断面図、（ｂ）は図２のＢ−Ｂ断面図。
【図４】（ａ）および（ｂ）は本発明を適用した腕時計の動作前後を説明するための図。
【図５】（ａ）および（ｂ）は第２の実施の形態による腕時計の平面図および右側面図。
【図６】（ａ）および（ｂ）は第２の実施の形態による腕時計の時計ケースをスライドした場合の平面図、右側面図。
【図７】（ａ）は図５のＣ−Ｃ断面図、（ｂ）は図６のＤ−Ｄ断面図。
【符号の説明】
１  時計ケース部
２  スライド基部
３Ａ、３Ｂ  リストバンド部
４  表示部
５Ａ、５Ｂ  スライド機構部
６Ａ、６Ｂ  スライドレール
７Ａ、７Ｂ  スライドガイド
８  スライド復帰機構部
９  スプリングボックス
１０  コイルスプリング
１１  ストッパー
１２  時計機能部
１３  スプリング受け
１０１  時計ケース部
１０２Ａ、１０２Ｂ  第１のリストバンド部
１０３Ａ、１０３Ｂ  第２のリストバンド部
１０４  表示部
１０５Ａ、１０５Ｂ  スライド機構部
１０９Ａ、１０９Ｂ  スプリングボックス
１１０Ａ、１１０Ｂ  コイルスプリング
１１１Ａ、１１１Ｂ  ストッパー
１１３Ａ、１１３Ｂ  スプリング受け
【図１】
2004301800.tif 000003
【図２】
2004301800.tif 000004
【図３】
2004301800.tif 000005
【図４】
2004301800.tif 000006
【図５】
2004301800.tif 000007
【図６】
2004301800.tif 000008
【図７】
2004301800.tif 000009